(57)【要約】  本発明は、凝縮水循環利用システムおよび乾燥機である。ここで、凝縮水循環利用システムは、凝縮器（１）と、貯水ユニットと、噴射ユニットとを備える。ここで、凝縮器（１）内の凝縮水が導出管路（１０１）を介して貯水ユニットに導入され得、貯水ユニットは、凝縮水を循環濾過して貯留するように構成される。噴射ユニットは、貯水ユニットと作業チャンバとにそれぞれ連通し、貯水ユニット内の凝縮水を水蒸気に変換して作業チャンバ内に噴射するように構成される。【選択図】図１
2021529636.tif 000002
【特許請求の範囲】
【請求項１】
凝縮器（１）と、
前記凝縮器（１）内の凝縮水が導出管路（１０１）を介して導入され得、前記凝縮水を循環濾過して貯留するように構成される貯水ユニットと、
前記貯水ユニットと作業チャンバとにそれぞれ連通し、前記貯水ユニット内の凝縮水を水蒸気に変換して前記作業チャンバ内に噴射するように構成される噴射ユニットとを備える、
凝縮水循環利用システム。
【請求項２】
前記貯水ユニットは、
前記凝縮器（１）内の凝縮水が導出管路（１０１）を介して導入される第１貯水タンク（２１）と、
前記第１貯水タンク（２１）内の前記凝縮水が濾過されてから導入される第２貯水タンク（２２）と、
前記第２貯水タンク（２２）内の前記凝縮水が導入され、内部の前記凝縮水が所定の値を超えると、溢水口（２３１）を介して前記第１貯水タンク（２１）に導入される第３貯水タンク（２３）とを備え、
前記噴射ユニットが第３貯水タンク（２３）と前記作業チャンバとにそれぞれ連通する、
請求項１に記載の凝縮水循環利用システム。
【請求項３】
前記第１貯水タンク（２１）内に第１水位スイッチ（２１１）が設けられ、前記第１貯水タンク（２１）と前記第２貯水タンク（２２）との連通管路に第１排水ポンプ（２１２）が設けられ、
前記凝縮水が前記第１水位スイッチ（２１１）をトリガすると、前記第１排水ポンプ（２１２）は起動する、
請求項２に記載の凝縮水循環利用システム。
【請求項４】
前記第２貯水タンク（２２）内にフィルタ（２２１）が設けられ、前記凝縮水は、前記フィルタ（２２１）で濾過されてから前記第２貯水タンク（２２）に導入される、
請求項２に記載の凝縮水循環利用システム。
【請求項５】
集水タンク（２４）を更に備え、
前記第２貯水タンク（２２）内の前記凝縮水が前記集水タンク（２４）に集められてから前記第３貯水タンク（２３）に導入される、
請求項４に記載の凝縮水循環利用システム。
【請求項６】
前記凝縮水は、前記フィルタ（２２１）で濾過されてから、一部が前記第２貯水タンク（２２）に導入され、他の一部が分流器（２２２）により分流されてから前記集水タンク（２４）に導入され、
前記第２貯水タンク（２２）は溢水管路（１０２）を介して前記集水タンク（２４）に連通し、前記凝縮水は、前記第２貯水タンク（２２）にいっぱい貯留されてから前記溢水管路（１０２）を介して前記集水タンク（２４）に導入される、
請求項５に記載の凝縮水循環利用システム。
【請求項７】
前記第３貯水タンク（２３）内に第２水位スイッチ（２３２）が設けられ、
前記凝縮水が前記第２水位スイッチ（２３２）をトリガすると、前記噴射ユニットは起動できる、
請求項２に記載の凝縮水循環利用システム。
【請求項８】
前記噴射ユニットは、順次接続された第２排水ポンプ（３１）、蒸気発生器（３２１）、および前記作業チャンバ内に設けられたノズル（３３）を備え、前記第２排水ポンプ（３１）が前記第３貯水タンク（２３）に連通し、
前記第２排水ポンプ（３１）は、前記貯水ユニット内の前記凝縮水を前記蒸気発生器（３２１）に導くように構成され、前記蒸気発生器（３２１）は、前記凝縮水を蒸気に変換するように構成され、前記ノズル（３３）は、前記蒸気を前記作業チャンバ内に噴射するように構成される、
請求項１〜７のいずれか１項に記載の凝縮水循環利用システム。
【請求項９】
前記噴射ユニットは、順次接続された第２排水ポンプ（３１）、噴霧器（３２２）、および前記作業チャンバ内に設けられたノズル（３３）を備え、前記第２排水ポンプ（３１）が第３貯水タンク（２３）に連通し、
前記第２排水ポンプ（３１）は、前記貯水ユニット内の前記凝縮水を前記噴霧器（３２２）に導くように構成され、前記噴霧器（３２２）と前記ノズル（３３）とは互いに協働し、前記噴霧器（３２２）は、前記凝縮水をミストに変換するように構成され、前記ノズル（３３）は、前記ミストを前記作業チャンバ内に噴射するように構成される、
請求項１〜７のいずれか１項に記載の凝縮水循環利用システム。
【請求項１０】
前記第２貯水タンク（２２）、前記集水タンク（２４）、前記第３貯水タンク（２３）、および前記第１貯水タンク（２１）は上から下へ順次設けられ、
前記集水タンク（２４）に漏水口が設けられ、前記集水タンク（２４）の内部チャンバの底面が前記漏水口へ傾斜し、前記漏水口が送水管路を介して前記第３貯水タンク（２３）に連通し、前記第２貯水タンク（２２）から溢れ込んだ凝縮水および前記分流器（２２２）により分流されて導入された凝縮水は、前記集水タンク（２４）内で自動的に前記漏水口に注入し、前記漏水口から前記第３貯水タンク（２３）へ流れる、
請求項６に記載の凝縮水循環利用システム。
【請求項１１】
請求項１〜１０のいずれか１項に記載の凝縮水循環利用システムを備え、
前記作業チャンバは乾燥機ドラム（４）の内部チャンバであり、
前記凝縮器（１）は、乾燥吸気管路（１０３）および乾燥排気管路（１０４）のそれぞれを介して前記ドラム（４）に連通する、
乾燥機。
【発明の詳細な説明】
【技術分野】
【０００１】
本発明は、２０１８年０７月１８日に中国専利局に提出された出願番号が２０１８１０７９１３４４．７である中国特許出願に対して優先権を主張するものであり、上記出願の全ての内容を引用により本発明に援用する。
【０００２】
本発明は、乾燥機の技術分野に関し、例えば、凝縮水循環利用システムおよび乾燥機に関する。
【背景技術】
【０００３】
乾燥機は、加熱することにより、洗濯した衣類の水分を即時に蒸発させて乾燥させる家電機器である。しかし、水洗いした衣類を乾燥機に入れて乾燥する場合、衣類は、自体の材質の特性によりしわ（折り目、しわ、折り跡等）が発生する。このようなしわを解消するために、通常、乾燥機に蒸気発生器または噴霧器を設け、乾燥工程において衣類の表面に水蒸気を噴射することでしわを解消する。
【０００４】
従来の水蒸気噴射機能付きの乾燥機における水蒸気の水源は、外部からの水道水の供給またはユーザ自身による浄水の追加を採用することが多い。水道水を水源として使用する場合、水道水の硬度が大きいため、乾燥過程においてスケールが発生しやすく、蒸気の乾燥効果に影響を与え、管路を閉塞し、水資源を浪費する。浄水を使用する場合、ユーザ自身による追加が必要となり、使用しにくいとともに、水資源を浪費し、使用コストが高い。
【発明の概要】
【発明が解決しようとする課題】
【０００５】
本発明は、噴射する水蒸気の水源が凝縮器から提供される、凝縮水循環利用システムおよび乾燥機を提供する。
【課題を解決するための手段】
【０００６】
本発明は、以下の技術案を採用する。
【０００７】
凝縮水循環利用システムは、
凝縮器と、
前記凝縮器内の凝縮水が導出管路を介して導入され得、前記凝縮水を循環濾過して貯留するように構成される貯水ユニットと、
前記貯水ユニットと作業チャンバとにそれぞれ連通し、前記貯水ユニット内の凝縮水を水蒸気に変換して前記作業チャンバ内に噴射するように構成される噴射ユニットと、を備える。
【０００８】
乾燥機は、上記凝縮水循環利用システムを備え、前記作業チャンバが乾燥機ドラムの内部チャンバであり、前記凝縮器は、乾燥吸気管路および乾燥排気管路のそれぞれを介して前記ドラムに連通する。
【図面の簡単な説明】
【０００９】
【図１】本発明の実施例に係る凝縮水循環利用システムを乾燥機に適用する構造模式図である。
【図２】本発明の実施例に係る別の凝縮水循環利用システムを乾燥機に適用する構造模式図である。
【発明を実施するための形態】
【００１０】
以下、本発明の実施例を詳細に説明し、実施例の例を図面に示し、その中に、全体にわたって同じもしくは類似する符号は、同じもしくは類似する要素または同じもしくは類似する機能を有する要素を表す。以下、図面を参照することにより説明する実施例は例示的なものであり、本発明を解釈するためのものであり、本発明を限定するものではない。
【００１１】
以下、図面および具体的な実施形態を参照しながら本発明の技術案について更に説明する。
【００１２】
図１および図２に示すように、本発明は凝縮水循環利用システムを提供し、凝縮器１と、貯水ユニットと、噴射ユニットとを備える。ここで、凝縮器１内の凝縮水が導出管路１０１を介して貯水ユニットに導入され得、貯水ユニットは、凝縮水を循環濾過して貯留するように構成される。噴射ユニットは、貯水ユニットと作業チャンバとにそれぞれ連通し、前記噴射ユニットは、貯水ユニット内の凝縮水を水蒸気に変換して作業チャンバ内に噴射するように構成される。
【００１３】
本発明の凝縮水循環利用システムにおいて、貯水ユニットと噴射ユニットとは互いに協働し、凝縮器１により凝縮された凝縮水を使用することにより作業チャンバ内に水蒸気を噴射すること実現し、水資源を節約し、ユーザによる水を追加する過程を省略し、且つ、噴射ユニットは凝縮水を濾過することができ、スケールによる管路の閉塞を効果的に回避する。
【００１４】
貯水ユニットは、具体的に、第１貯水タンク２１、第２貯水タンク２２、および第３貯水タンク２３を備える。ここで、凝縮器１内の凝縮水は導出管路１０１を介して第１貯水タンク２１に導入され、第１貯水タンク２１内の凝縮水は濾過されてから第２貯水タンク２２に導入され、第２貯水タンク２２内の凝縮水は第３貯水タンク２３に導入され、第３貯水タンク２３内の凝縮水は所定の値を超えると、溢水口２３１を介して第１貯水タンク２１に導入され、噴射ユニットは、第３貯水タンク２３と作業チャンバとにそれぞれ連通する。上記構成により、凝縮水は第１貯水タンク２１と第２貯水タンク２２と第３貯水タンク２３との間で循環して流れることができ、且つ循環過程で濾過することができる。
【００１５】
いくつかの実施例において、第１貯水タンク２１内に第１水位スイッチ２１１が設けられ、第１貯水タンク２１と第２貯水タンク２２との連通管路に第１排水ポンプ２１２が設けられている。凝縮水が第１水位スイッチ２１１をトリガすると、第１水位スイッチ２１１は制御装置に信号を送信し、制御装置は第１排水ポンプ２１２を起動するように制御し、第１貯水タンク２１内の凝縮水を第２貯水タンク２２にポンピングする。第１水位スイッチ２１１と第１排水ポンプ２１２とは互いに協働し、第１貯水タンク２１内の凝縮水が満杯になりすぎて溢れることを回避する。
【００１６】
いくつかの実施例において、第２貯水タンク２２内にフィルタ２２１が設けられ、凝縮水は、フィルタ２２１で濾過されてから第２貯水タンク２２に導入される。いくつかの実施例において、本発明の凝縮水循環利用システムは集水タンク２４を更に備え、第２貯水タンク２２内の凝縮水は集水タンク２４に集められてから第３貯水タンク２３に導入される。本実施例において、凝縮水は、フィルタ２２１で濾過されてから一部が第２貯水タンク２２に導入され、他の一部が分流器２２２により分流されてから分流管路を介して集水タンク２４に導入される。且つ、第２貯水タンク２２は溢水管路１０２を介して集水タンク２４に連通し、凝縮水は、第２貯水タンク２２にいっぱい貯留されてから溢水管路１０２を介して集水タンク２４に導入される。
【００１７】
いくつかの実施例において、第２貯水タンク２２、集水タンク２４、第３貯水タンク２３、および第１貯水タンク２１は上から下へ順次設けられている。集水タンク２４に漏水口が設けられ、集水タンク２４の内部チャンバの底面が漏水口へ傾斜し、漏水口は送水管路を介して第３貯水タンク２３に連通し、第２貯水タンク２２から溢れ込んだ凝縮水および分流器２２２により分流されて導入された凝縮水は、集水タンク２４内で自動的に漏水口に注入し、漏水口から第３貯水タンク２３へ流れる。
【００１８】
いくつかの実施例において、第３貯水タンク２３内に第２水位スイッチ２３２が設けられている。凝縮水が第２水位スイッチ２３２をトリガすると、噴射ユニットは起動でき、噴射ユニットを起動する前に、制御装置は、まず、第２水位スイッチ２３２により第３貯水タンク２３内の凝縮水が設定値に達しているか否かを検出し、達していないと、噴射ユニットは起動できず、達していると、制御装置は噴射ユニットを起動するように制御する。
【００１９】
図１に示すように、噴射ユニットは蒸気を噴射する機構であってもよく、この場合、噴射ユニットは、順次接続された第２排水ポンプ３１、蒸気発生器３２１、および作業チャンバ内に設けられたノズル３３を備える。第２排水ポンプ３１は第３貯水タンク２３に連通し、前記第２排水ポンプ３１は第３貯水タンク２３内の凝縮水を蒸気発生器３２１に導くように構成され、蒸気発生器３２１は凝縮水を蒸気に変換するように構成され、ノズル３３は蒸気を作業チャンバ内に噴射するように構成される。
【００２０】
図２に示すように、噴射ユニットはミストを噴射する機構であってもよく、この場合、噴射ユニットは、順次接続された第２排水ポンプ３１、噴霧器３２２、および作業チャンバ内に設けられたノズル３３を備える。ここで、第２排水ポンプ３１は第３貯水タンク２３に連通し、前記第２排水ポンプ３１は第３貯水タンク２３内の凝縮水を噴霧器３２２に導くように構成され、噴霧器３２２とノズル３３とは互いに協働し、前記噴霧器３２２は凝縮水をミストに変換するように構成され、前記ノズル３３はミストを作業チャンバ内に噴射するように構成される。
【００２１】
本発明の凝縮水循環利用システムは、一般的な凝縮式乾燥機、ヒートポンプ乾燥機、または洗濯乾燥機等の凝縮水が存在する乾燥機または介護機に使用でき、衣類乾燥の工程において衣類の表面に水蒸気を噴射してしわを解消するために使用される。
【００２２】
図１および図２に示すように、本発明は、上記凝縮水循環利用システムを備える乾燥機を更に提供する。ここで、凝縮水循環利用システムの作業チャンバは乾燥機ドラム４の内部チャンバであり、凝縮器１は、乾燥吸気管路１０３および乾燥排気管路１０４のそれぞれを介してドラム４に連通し、乾燥吸気管路１０３にヒータ５が設けられ、ヒータ５はドラム４内に衣類を乾燥するための熱気流を導入するように構成され、且つ、前記乾燥機には凝縮吸気管路１０５および凝縮排気管路１０６が更に設けられ、凝縮吸気管路１０５および凝縮排気管路１０６はそれぞれ凝縮器１に連通し、凝縮吸気管路１０５は凝縮器１内に凝縮用の冷気流を導入するように構成される。
【００２３】
いくつかの実施例において、乾燥機内に駆動モータ６が設けられ、駆動モータ６の搬出端にプーリが設けられ、プーリとドラム４とはベルト７により連動するように設けられている。乾燥プログラムが起動すると、駆動モータ６はプーリを駆動することによりドラム４を回動させる。
【００２４】
いくつかの実施例において、凝縮吸気管路１０５および乾燥吸気管路１０３には、それぞれ駆動モータ６により駆動されるエアガイドファン８が設けられている。衣類乾燥プログラムが起動すると、駆動モータ６はドラム４と凝縮吸気管路１０５と乾燥吸気管路１０３におけるエアガイドファン８との回転を同時に駆動する。
【００２５】
本発明の乾燥機において、凝縮水循環利用システムの設置により、衣類乾燥過程で得られる凝縮水を十分に使用し、該凝縮水を水蒸気に変換して衣類の表面に噴射することにより衣類のしわを解消し、水資源を節約し、ユーザによる水を追加する過程を省略し、且つ、噴射ユニットは凝縮水を濾過することができ、スケールによる管路の閉塞を効果的に回避する。
【符号の説明】
【００２６】
１        凝縮器
２１      第１貯水タンク
２１１    第１水位スイッチ
２１２    第１排水ポンプ
２２      第２貯水タンク
２２１    フィルタ
２２２    分流器
２３      第３貯水タンク
２３１    溢水口
２３２    第２水位スイッチ
２４      集水タンク
３１      第２排水ポンプ
３２１    蒸気発生器
３２２    噴霧器
３３      ノズル
４        ドラム
５        ヒータ
６        駆動モータ
７        ベルト
８        エアガイドファン
１０１    導出管路
１０２    溢水管路
１０３    乾燥吸気管路
１０４    乾燥排気管路
１０５    凝縮吸気管路
１０６    凝縮排気管路
【図１】
2021529636.tif 000003
【図２】
2021529636.tif 000004
【国際調査報告】
2021529636.tif 000005
2021529636.tif 000006
2021529636.tif 000007
2021529636.tif 000008